(57)【特許請求の範囲】
【請求項１】
浴室内から空気を吸い込んで浴室内を乾燥させる浴室乾燥装置であって、
浴室内から空気を吸い込んで屋外へ排出する浴室排気流路と、
屋外から外気を吸い込んで浴室へ供給する浴室給気流路と、
前記浴室排気流路に空気の流れを起こす排気通風手段と、
前記浴室給気流路に空気の流れを起こす給気通風手段と、
浴室内へ供給される空気を昇温するヒータと、
前記浴室排気流路を通って排出される浴室内の空気と前記浴室給気流路を通って供給される外気との間で熱交換を行う熱交換素子と、
前記排気通風手段及び前記給気通風手段を制御して、前記浴室排気流路及び前記浴室給気流路に流れる空気を調整し、前記ヒータを駆動して前記浴室内の空気を加熱するように制御する制御手段と、を備え、
前記制御手段は、
前記ヒータを駆動して浴室内の空気を加熱しながら、前記排気通風手段及び前記給気通風手段を制御して前記浴室排気流路と前記浴室給気流路とに空気を流すことで、前記熱交換素子による熱交換を行う浴室乾燥運転を実行し、
前記浴室乾燥運転の終了段階であって前記浴室排気流路内の通風を停止する前に、前記浴室給気流路内の通風を停止させ、その停止状態で前記浴室排気流路内の通風を継続することで、前記熱交換素子を乾燥させる素子乾燥運転を所定時間実行し、
前記浴室乾燥運転後に実行される運転態様に応じて、前記素子乾燥運転時に前記浴室排気流路内を流れる空気の通風量を変化させることを特徴とすることを特徴とする浴室乾燥装置。
【請求項２】
前記浴室給気流路中に、屋外の空気温度を検出する温度センサを設け、
前記制御手段は、前記浴室乾燥運転の実行中に前記温度センサが検出する温度が所定温度以上であると、前記素子乾燥運転を実行しないことを特徴とする請求項１に記載の浴室乾燥装置。
【請求項３】
前記浴室乾燥運転を実行する時間を計測する計時手段を設け、
前記制御手段は、前記計時手段が計測する時間が所定時間以下であると、前記素子乾燥運転を実行しないことを特徴とする請求項１に記載の浴室乾燥装置。
【請求項４】
前記浴室給気流路中に、屋外の空気温度を検出する温度センサを設け、
前記制御手段は、前記温度センサが検出する温度が第一温度である場合の前記素子乾燥運転の実行時間である第一実行時間よりも、前記温度センサが検出する温度が前記第一温度よりも低い第二温度である場合の前記素子乾燥運転の実行時間である第二実行時間が長くなるように前記素子乾燥運転を実行することを特徴とする請求項１に記載の浴室乾燥装置。
【請求項５】
前記浴室乾燥運転後に実行されるのが、浴室から排気を行う換気運転である場合に、
前記制御手段は、前記素子乾燥運転時に前記浴室排気流路内を流れる空気の通風量を前記浴室乾燥運転時よりも多くなるように変化させることを特徴とする請求項１に記載の浴室乾燥装置。
【請求項６】
前記浴室乾燥運転後に実行されるのが、前記ヒータを駆動する暖房運転である場合に、
前記制御手段は、前記素子乾燥運転時に前記浴室排気流路内を流れる空気の通風量を前記浴室乾燥運転時よりも少なくなるように変化させることを特徴とする請求項１に記載の浴室乾燥装置。
【請求項７】
前記浴室排気流路とは独立した別の流路として、浴室内から空気を吸い込んで屋外へ排出する第二浴室排気流路を備え、
前記制御手段は、前記浴室乾燥運転後に浴室から排気を行う換気運転を行う場合に、前記浴室排気流路を用いた前記熱交換素子乾燥運転を実行した後、前記第二浴室排気流路に切り替えて前記換気運転を実行することを特徴とする請求項１に記載の浴室乾燥装置。
【発明の詳細な説明】
【技術分野】
【０００１】
本発明は、浴室乾燥装置に関する。
【背景技術】
【０００２】
住宅に換気装置も兼ねた浴室乾燥装置を設置することが一般化しつつある。このような浴室乾燥装置は、装置本体内に、給気ファン、排気ファンおよびヒータ等が設けられ、給気ファンによって装置本体内に外気を吸い込んで、その外気をヒータで暖めながら浴室内に供給することにより、暖かい空気を浴室内で循環させるようになっている。そして、浴室内に衣類を干しておけば、循環する暖かい空気で衣類の温度が上がり、これにより、衣類の水分を積極的に蒸発させることができる。また、循環する暖かい空気で浴室内の壁、天井および床等の温度が上がるため、壁、天井および床等に付着した水分（水滴）も積極的に蒸発させることができ、浴室内の乾燥さらには浴室内の換気も行うことが可能となっている。
【０００３】
ところで、上記浴室乾燥装置では、蒸発した水分を含む暖かい浴室内空気を排気ファンによって装置本体内に吸引し、そのまま建物の外に排気しているため、浴室内空気が有する熱エネルギーを無駄に排出してしまう欠点がある。
【０００４】
そこで、本体ケース内に熱交換素子を設けるとともに、この熱交換素子を用いて、排気ファンによって排気される浴室内空気と給気ファンによって吸い込まれた外気との間で熱交換を行って、浴室内空気が有する熱エネルギーを回収し、浴室内に戻すようにした浴室乾燥装置が提案されている（下記特許文献１参照）。
【０００５】
しかしながら、下記特許文献１に記載の技術では、熱交換素子で結露が発生したときに、その結露によって生じた結露水が装置本体内に溜まるという問題がある。すなわち、浴室内空気は、外気に比べて高温高湿であり、熱交換素子において外気との間で熱交換する際に外気によって急激に冷やされると、浴室内空気に含まれていた水分が熱交換素子で結露して、その結露によって生じた結露水が装置本体内に溜まってしまう。
【０００６】
そこで、下記特許文献２には、結露の問題を解決するための浴室乾燥装置が提案されている。下記特許文献２に記載の技術は、浴室内空気を吸い込んで建物の外へ排出する排気ファンと、建物の外の外気を吸い込んで浴室へ給気する給気ファンと、排気ファンおよび給気ファンを回転駆動する駆動手段と、排気ファンによって吸い込まれた浴室内空気と給気ファンによって吸い込まれた外気との間で熱交換を行う熱交換素子とを備えた浴室乾燥装置である。この浴室乾燥装置は、浴室内空気の流れに沿って熱交換素子の下流側に設けられた排気室の底部にドレン排出口を形成し、熱交換時に浴室内空気中の水分が結露して生じた結露水を、ドレン排出口を介して装置本体外へ排出することを特徴としている。
【先行技術文献】
【特許文献】
【０００７】
【特許文献１】特開平１−２４９１００号公報
【特許文献２】特開２００５−９８６１３号公報
【発明の概要】
【発明が解決しようとする課題】
【０００８】
上記従来の浴室乾燥装置において、結露によって生じる結露水の量はさほど大量なものではなく、ポタポタと滴下する程度の結露水が継続的に発生するものである。そのため、排気室の底部にドレン排出口を形成し、そのドレン排出口から結露水を排出しようとしても、結露水が澱みなく全て流れ出るものではなく、排気室の底部やドレン排出口周りに水が残留するおそれがある。このように結露水が排気室の底部やドレン排出口周りに残留すると、カビや雑菌が発生する温床となり臭気の原因ともなり得る。
【０００９】
本発明はこのような課題に鑑みてなされたものであり、その目的は、浴室内の空気と外気との熱交換を行いながら乾燥運転を行うことができると共に、その熱交換時に発生する結露水を滴下させずに処理することが可能であって、カビや雑菌の温床や臭気の原因となり得る滴下水による水溜りが発生しない浴室乾燥装置を提供することにある。
【課題を解決するための手段】
【００１０】
上記課題を解決するために本発明に係る浴室乾燥装置は、浴室内から空気を吸い込んで浴室内を乾燥させる浴室乾燥装置であって、浴室内から空気を吸い込んで屋外へ排出する浴室排気流路と、屋外から外気を吸い込んで浴室へ供給する浴室給気流路と、前記浴室排気流路に空気の流れを起こす排気通風手段と、前記浴室給気流路に空気の流れを起こす給気通風手段と、浴室内へ供給される空気を昇温するヒータと、前記浴室排気流路を通って排出される浴室内の空気と前記浴室給気流路を通って供給される外気との間で熱交換を行う熱交換素子と、前記排気通風手段及び前記給気通風手段を制御して、前記浴室排気流路及び前記浴室給気流路に流れる空気を調整し、前記ヒータを駆動して前記浴室内の空気を加熱するように制御する制御手段と、を備えている。前記制御手段は、前記ヒータを駆動して浴室内の空気を加熱しながら、前記排気通風手段及び前記給気通風手段を制御して前記浴室排気流路と前記浴室給気流路とに空気を流すことで、前記熱交換素子による熱交換を行う浴室乾燥運転を実行する。更に前記制御手段は、前記浴室乾燥運転の終了段階であって前記浴室排気流路内の通風を停止する前に、前記浴室給気流路内の通風を停止させ、その停止状態で前記浴室排気流路内の通風を継続することで、前記熱交換素子を乾燥させる素子乾燥運転を所定時間実行する。
【００１１】
本発明に係る浴室乾燥装置によれば、ヒータで浴室内の空気を加熱しながら、浴室排気流路と浴室給気流路とに空気を流すことで、熱交換素子による熱交換を行う浴室乾燥運転を実行するので、浴室内の熱を排気から給気へと受け渡すことで有効に利用し、効率のいい浴室乾燥運転を実行することができる。より具体的には、ヒータによって暖められた暖かく湿った空気が浴室排気流路を通る一方で、冷たい外気が浴室排気流路を通ることで、熱交換素子において暖かい排気から冷たい給気へと熱が受け渡される。結果として、浴室排気流路の暖かく湿った空気が熱交換素子において冷やされ、結露することになる。そこで本発明では、この浴室乾燥運転の終了段階において素子乾燥運転を実行することで、浴室乾燥運転中に発生した結露水を乾燥させて取り除くものとしている。具体的には、浴室乾燥運転の終了段階であって浴室排気流路内の通風を停止する前に、浴室給気流路内の通風を停止させ、その停止状態で浴室排気流路内の通風を継続するものとしている。このようにすることで、熱交換素子に冷たい外気が供給されなくなるので、熱交換素子における新たな結露水の発生を防止することができる。また、暖かい空気を浴室排気流路を通して熱交換素子に供給するので、熱交換素子に既に発生している結露水の蒸発を促して熱交換素子内部を乾燥させることができる。従って、カビや雑菌の温床や臭気の原因となり得る滴下水による水溜りを発生させない浴室乾燥装置を提供することができる。
【００１２】
また本発明に係る浴室乾燥装置では、前記浴室給気流路中に、屋外の空気温度を検出する温度センサを設け、前記制御手段は、前記浴室乾燥運転の実行中に前記温度センサが検出する温度が所定温度以上であると、前記素子乾燥運転を実行しないことも好ましい。
【００１３】
本発明に係る浴室乾燥装置では、素子乾燥運転を行うことで熱交換素子における結露水を蒸発させて、滴下水による水溜りを発生させないように構成したものである。しかしながら、素子乾燥運転は、素子乾燥を行うことが主目的であるから、熱交換素子が濡れていない場合には極力その運転を回避して省エネに資することが好ましいものである。そこでこの好ましい態様では、浴室乾燥運転の実行中に温度センサが検出する温度が所定温度以上である場合には、外気が結露を生じさせるほどは冷たくないものと判断し、素子乾燥運転を実行しないものとしている。
【００１４】
また本発明に係る浴室乾燥装置では、前記浴室乾燥運転を実行する時間を計測する計時手段を設け、前記制御手段は、前記計時手段が計測する時間が所定時間以下であると、前記素子乾燥運転を実行しないことも好ましい。
【００１５】
上述したように、素子乾燥運転は、素子乾燥を行うことが主目的であるから、熱交換素子が濡れていない場合には極力その運転を回避して省エネに資することが好ましいものである。そこでこの好ましい態様では、浴室乾燥運転を実行する時間が所定時間以下の場合には、結露が生じるほどには熱交換が行われていないものと判断し、素子乾燥運転を実行しないものとしている。
【００１６】
また本発明に係る浴室乾燥装置では、前記浴室給気流路中に、屋外の空気温度を検出する温度センサを設け、前記制御手段は、前記温度センサが検出する温度が第一温度である場合の前記素子乾燥運転の実行時間である第一実行時間よりも、前記温度センサが検出する温度が前記第一温度よりも低い第二温度である場合の前記素子乾燥運転の実行時間である第二実行時間が長くなるように前記素子乾燥運転を実行することも好ましい。
【００１７】
上述したように、本発明に係る浴室乾燥装置では、素子乾燥運転を行うことで熱交換素子における結露水を蒸発させて、滴下水による水溜りを発生させないように構成したものである。一方で、素子乾燥運転は、素子乾燥を行うことが主目的であるから、熱交換素子の濡れ具合に応じてその運転時間を調整することが好ましいものである。そこでこの好ましい態様では、熱交換素子の温度がより低い第二温度の場合には、第一温度の場合に比較してより結露水が熱交換素子に付着しているものと判断し、素子乾燥運転の実行時間である第二実行時間を第一実行時間よりも長くなるようにしている。これにより、熱交換素子に付着した結露水の量に応じて、熱交換素子乾燥運転の運転時間を調整することができる。
【００１８】
また本発明に係る浴室乾燥装置では、前記制御手段は、前記浴室乾燥運転後に実行される運転態様に応じて、前記素子乾燥運転時に前記浴室排気流路内を流れる空気の通風量を変化させることも好ましい。
【００１９】
この好ましい態様では、浴室乾燥運転の終了段階に実行する素子乾燥運転において、浴室排気流路を流れる空気の通風量を、その浴室乾燥運転の後に実行される運転態様におじて変化させるので、浴室乾燥後の運転への影響を抑えながら熱交換素子に付着した結露水を蒸発させることができる。
【００２０】
また本発明に係る浴室乾燥装置では、前記浴室乾燥運転後に実行されるのが、浴室から排気を行う換気運転である場合に、前記制御手段は、前記素子乾燥運転時に前記浴室排気流路内を流れる空気の通風量を前記浴室乾燥運転時よりも多くなるように変化させることも好ましい。
【００２１】
換気運転は浴室内の空気を排出する換気を行うものであるから、浴室乾燥運転後に実行されるのが換気運転であれば、素子乾燥運転において浴室内の温度低下を考慮する必要性に乏しく、なるべく早くに換気運転に移行させることが好ましいものである。そこでこの好ましい態様では、素子乾燥運転時に浴室排気流路内を流れる空気の通風量を浴室乾燥運転時よりも多くなるように変化させることで、熱交換素子の乾燥速度を速めることができ、素子乾燥運転の時間を短縮して換気運転へと早期に移行することができる。
【００２２】
また本発明に係る浴室乾燥装置では、前記浴室乾燥運転後に実行されるのが、前記ヒータを駆動する暖房運転である場合に、前記制御手段は、前記素子乾燥運転時に前記浴室排気流路内を流れる空気の通風量を前記浴室乾燥運転時よりも少なくなるように変化させることも好ましい。
【００２３】
暖房運転は浴室内の空気を暖めるものであるから、浴室乾燥運転後に実行されるのが暖房運転であれば、素子乾燥運転においては浴室内の温度低下を極力回避する必要がある。そこでこの好ましい態様では、素子乾燥運転時に浴室排気流路内を流れる空気の通風量を浴室乾燥運転時よりも少なくなるように変化させることで、浴室内の温められた空気を極力逃さずに素子乾燥運転を行うことができる。
【００２４】
また本発明に係る浴室乾燥装置では、前記浴室排気流路とは独立した別の流路として、浴室内から空気を吸い込んで屋外へ排出する第二浴室排気流路を備え、前記制御手段は、前記浴室乾燥運転後に浴室から排気を行う換気運転を行う場合に、前記浴室排気流路を用いた前記熱交換素子乾燥運転を実行した後、前記第二浴室排気流路に切り替えて前記換気運転を実行することも好ましい。
【００２５】
換気運転は浴室内の空気を排出する換気を行うものであるから、浴室乾燥運転後に実行されるのが換気運転であれば、熱交換素子を通した排気をなるべく早くに切り上げて、圧損の少ない換気運転に移行させることが好ましいものである。そこでこの好ましい態様では、熱交換素子を経由しない浴室排気流路として第二浴室排気流路を設け、浴室乾燥運転後に浴室から排気を行う換気運転を行う場合には、浴室排気流路を用いた熱交換素子乾燥運転を実行した後、第二浴室排気流路に切り替えて換気運転を実行することとしている。従って、熱交換素子の乾燥が終わった後は、熱交換素子を通さない排気とすることができ、熱交換素子による圧損を受けない換気運転を行うことができる。
【発明の効果】
【００２６】
本発明によれば、浴室内の空気と外気との熱交換を行いながら乾燥運転を行うことができると共に、その熱交換時に発生する結露水を滴下させずに処理することが可能であって、カビや雑菌の温床や臭気の原因となり得る滴下水による水溜りが発生しない浴室乾燥装置を提供することができる。
【図面の簡単な説明】
【００２７】
【図１】本発明の実施形態である浴室乾燥装置の外観を示す斜視図である。
【図２】本発明の実施形態である浴室乾燥装置の構成を示す図であって、乾燥運転の際の動作を示す図である。
【図３】本発明の実施形態である浴室乾燥装置の制御的な構成を示すブロック図である。
【図４】本発明の実施形態である浴室乾燥装置の構成を示す図であって、常時換気運転の際の動作を示す図である。
【図５】本発明の実施形態である浴室乾燥装置の構成を示す図であって、換気単独運転の際の動作を示す図である。
【図６】本発明の実施形態である浴室乾燥装置の構成を示す図であって、暖房運転の際の動作を示す図である。
【図７】本発明の実施形態である浴室乾燥装置の素子乾燥運転の動作を示すフローチャートである。
【図８】本発明の実施形態である浴室乾燥装置の素子乾燥運転の動作を示すフローチャートである。
【図９】本発明の実施形態である浴室乾燥装置の素子乾燥運転の動作を示すフローチャートである。
【発明を実施するための形態】
【００２８】
以下、添付図面を参照しながら本発明の実施の形態について説明する。説明の理解を容易にするため、各図面において同一の構成要素に対しては可能な限り同一の符号を付して、重複する説明は省略する。
【００２９】
図１は、本発明の実施形態である浴室乾燥装置ＤＭの外観を示す斜視図である。浴室乾燥装置ＤＭは、浴室の天井に取り付けられるものであって、乾燥運転、換気運転、換気単独運転、暖房運転といった各種運転モードを実行することが可能なように構成されている（各運転モードの詳細については後述する）。図１に示されるように、浴室乾燥装置ＤＭは、循環ユニット１０と排気ユニット２０とによって構成されている。循環ユニット１０には、給気導入口Ｉａが設けられている。給気導入口Ｉａは、浴室以外の他室（例えば、洗面所）又は外気と連通するように施工される空気の導入口である。
【００３０】
排気ユニット２０には、他室導入口Ｉｂと、他室導入口Ｉｃと、排気口Ｅａとが設けられている。他室導入口Ｉｂは、浴室以外の他室（例えば、洗面所）と連通するように施工される空気の導入口である。他室導入口Ｉｃは、浴室以外の他室であって他室導入口Ｉｂが連通されている室とは別の室（例えば、トイレ）と連通するように施工される空気の導入口である。排気口Ｅａは、外気に連通するように施工される空気の排出口である。
【００３１】
浴室乾燥装置ＤＭの構成を図２に示す。図２は、浴室乾燥装置ＤＭの構成を示す図であって、衣類乾燥運転（浴室乾燥運転）の際の動作を示す図である。図２に示されるように、浴室乾燥装置ＤＭの循環ユニット１０ａには、熱交換器１０１と、循環ファン１０２と、給気通風手段としての給気ファン１０４と、ヒータ１０６と、排気ダンパ１１２ａとが設けられている。
【００３２】
給気導入口Ｉａは浴室給気流路１１３ａに連通しており、浴室給気流路１１３ａは浴室給気流路１１４に繋がっており、浴室給気流路１１４の末端には給気吹出口１１１が設けられている。浴室給気流路１１４には給気ファン１０４が配置されており、給気ファン１０４を駆動すると、給気導入口Ｉａから空気が吸い込まれ、浴室給気流路１１３ａ，１１４を通って給気吹出口１１１から浴室内へと空気が吹き出される。
【００３３】
浴室給気流路１１３ａ，１１４と交差するように、浴室排気流路１１５，１１６ａが設けられている。浴室排気流路１１５は、浴室内に連通した排気吸込口１０９から空気を吸い込むためのものであって、浴室排気流路１１６ａに繋がっている。浴室排気流路１１６ａは、排気連絡口１１０を介して排気ユニット２０に連通している。浴室排気流路１１５には排気ダンパ１１２ａが配置されていて、排気ダンパ１１２ａを開くと浴室排気流路１１６ａから排気ユニット２０へ空気が流れ、排気ダンパ１１２ａを閉じると浴室排気流路１１６ａから排気ユニット２０への空気の流れが遮断されるように構成されている。
【００３４】
浴室給気流路１１３ａ，１１４と浴室排気流路１１５，１１６ａとが交差する領域には熱交換器１０１（熱交換素子）が配置されている。熱交換器１０１は、浴室給気流路１１３ａから流入した空気を浴室給気流路１１４へ流出させる流路と、浴室排気流路１１５から流入した空気を浴室排気流路１１６ａへ流出させる流路とが層状に重なって交差するように形成されている。従って、浴室給気流路１１３ａ，１１４を流れる空気と浴室排気流路１１５，１１６ａを流れる空気との間で熱交換を行うことが可能なように構成されている。
【００３５】
循環ユニット１０ａには、第二浴室排気流路１１６ｂが形成されている。第二浴室排気流路１１６ｂの一端は浴室排気流路１１６ａに繋がっており、他端は第二排気吸込口１１９に繋がっていて、第二排気吸込口１１９を介して浴室内と連通している。第二浴室排気流路１１６ｂの第二排気吸込口１１９近傍には、第二排気ダンパ１１８が配置されている。
【００３６】
循環ユニット１０ａには、循環吸込口１０７と循環吹出口１０８とが設けられている。循環吸込口１０７と循環吹出口１０８とは浴室循環流路１１７によって繋がれている。浴室循環流路１１７には循環ファン１０２が配置されており、循環ファン１０２を駆動することで循環吸込口１０７から浴室内の空気を吸い込んで、循環吹出口１０８から浴室内に吹き出すように構成されている。循環吹出口１０８にはヒータ１０６が設けられていて、ヒータ１０６に通電することで、循環吹出口１０８から吹き出す空気を暖めることができるように構成されている。
【００３７】
排気ユニット２０には、排気通風手段としての排気ファン２０１が設けられている。排気ファン２０１は、排気流路２０３に設けられている。排気流路２０３は、他室導入口Ｉｂ，Ｉｃ及び排気連絡口１１０と、排気口Ｅａとを繋ぐように形成されている。排気ファン２０１が駆動すると、他室導入口Ｉｂ，Ｉｃを介して他室から空気が吸い込まれて排気口Ｅａから排出される。排気ダンパ１１２ａが開いていれば、排気ファン２０１の駆動によって浴室排気流路１１５から空気が吸い込まれて、その下流の浴室排気流路１１６ａを介して排気口Ｅａから排出される。
【００３８】
図２に示す浴室乾燥装置ＤＭは衣類乾燥運転中なので、排気ダンパ１１２ａは開いた状態で、第二排気ダンパ１１８は閉じた状態となっており、ヒータ１０６には通電されている。循環ファン１０２、給気ファン１０４、及び排気ファン２０１はそれぞれ所定の回転数で回転している。その結果、給気導入口Ｉａからは９０ｍ3／ｈの空気が吸い込まれて浴室給気流路１１３ａに供給される。
【００３９】
浴室給気流路１１３ａに送り込まれた空気は熱交換器１０１で熱交換をして熱を受け取った後、浴室給気流路１１４を経由して給気吹出口１１１から浴室内へと吹き出される。給気吹出口１１１から浴室内へ吹き出される空気は９０ｍ3／ｈである。循環ファン１０２の駆動によって、循環吸込口１０７からは１５０ｍ3／ｈの空気が吸い込まれ、ヒータ１０６によって昇温された後に循環吹出口１０８から浴室内へと吹き出される。循環吹出口１０８から浴室内へ吹き出される空気は１５０ｍ3／ｈである。
【００４０】
排気ファン２０１の駆動によって、排気吸込口１０９からは９０ｍ3／ｈの空気が吸い込まれ、浴室排気流路１１５，１１６ａを経由して、排気流路２０３へと送り込まれる。排気ファン２０１の駆動によってはまた、他室導入口Ｉｂ，Ｉｃから１０５ｍ3／ｈの空気が吸い込まれ、排気流路２０３へと送り込まれる。排気流路２０３に送り込まれた空気は排気ファン２０１によって排気口Ｅａから屋外へと排出される。排気口Ｅａから屋外へと排出される空気は１９５ｍ3／ｈである。
【００４１】
図２に示すように、衣類乾燥運転を行うに当たっては、排気ダンパ１１２ａは開いた状態で、ヒータ１０６には通電されており、循環ファン１０２、給気ファン１０４、及び排気ファン２０１はそれぞれ所定の回転数で回転していることが必要なので、制御手段としての制御部ＣＵから各部へ所定の制御信号が出力され、その結果として各部が所定の動作を実行する。
【００４２】
浴室乾燥装置ＤＭの制御的な構成を図３に示す。図３に示すように、制御部ＣＵにはリモコンＲＰから所定の操作信号が入力される。具体的には、リモコンＲＰには浴室乾燥装置ＤＭの動作を開始したり終了したりするスイッチの他に、「衣類乾燥運転」「常時換気運転」「涼風運転」「換気単独運転」「暖房運転」といった浴室乾燥装置ＤＭの運転モードを指定するための操作部が設けられている。
【００４３】
制御部ＣＵは、その運転モードを指定する操作がリモコンＲＰになされ、リモコンＲＰから出力される運転モード指示信号を受信して各部に指示信号を出力する。具体的には、制御部ＣＵから、循環ファン１０２、給気ファン１０４、排気ファン２０１、排気ダンパ１１２ａ、及び第二排気ダンパ１１８に指示信号が出力され、循環ファン１０２、給気ファン１０４、排気ファン２０１、排気ダンパ１１２ａ、及び第二排気ダンパ１１８はその指示信号に基づいて所定の動作を実行する。更に、この衣類乾燥機ＤＭが設置されている家の屋外の外気温を測定するための温度センサＳｔが設けられており、温度センサＳｔから出力される信号が制御部ＣＵに入力され、制御部ＣＵでは外気温を取得できるように構成されている。
【００４４】
図４に常時換気運転の場合の浴室乾燥装置ＤＭの状態を示す。常時換気運転は、浴室及び浴室以外の他室を換気するものである。図４に示されるように排気ダンパ１１２ａは閉じた状態で、ヒータ１０６には通電されていない。一方で、第二排気ダンパ１１８は開いており、循環ファン１０２及び給気ファン１０４は停止し、排気ファン２０１は所定の回転数で回転している。
【００４５】
その結果、排気ファン２０１の駆動によって、第二排気吸込口１１９からは５３ｍ3／ｈの空気が吸い込まれ、浴室排気流路１１６ｂ，１１６ａを経由して、排気流路２０３へと送り込まれる。排気ファン２０１の駆動によってはまた、他室導入口Ｉｂ，Ｉｃから５２ｍ3／ｈの空気が吸い込まれ、排気流路２０３へと送り込まれる。排気流路２０３に送り込まれた空気は排気ファン２０１によって排気口Ｅａから屋外へと排出される。排気口Ｅａから屋外へと排出される空気は１０５ｍ3／ｈである。
【００４６】
尚、図４に示す常時換気運転の場合において、循環ファン１０２を回転させると、涼風運転の状態になる。この涼風運転においては、浴室出入り口扉の下部の通気口（がらり板によって形成されている）から浴室外の空気が吸込まれ、その吸込まれた空気が循環ファン１０２の回転によって浴室内を循環することで、使用者は涼感を感じることができる。
【００４７】
図５に換気単独運転の場合の浴室乾燥装置ＤＭの状態を示す。換気単独運転は、浴室以外の他室のみを換気するものである。図５に示されるように排気ダンパ１１２ａ及び第二排気ダンパ１１８は閉じた状態で、ヒータ１０６には通電されていない。循環ファン１０２及び給気ファン１０４は停止しており、排気ファン２０１は所定の回転数で回転している。その結果、排気ファン２０１の駆動によって、他室導入口Ｉｂ，Ｉｃから１０５ｍ3／ｈの空気が吸い込まれ、排気流路２０３へと送り込まれる。排気流路２０３に送り込まれた空気は排気ファン２０１によって排気口Ｅａから屋外へと排出される。排気口Ｅａから屋外へと排出される空気は１０５ｍ3／ｈである。
【００４８】
図６に暖房運転の場合の浴室乾燥装置ＤＭの状態を示す。暖房運転は、浴室を暖房しつつ他室を換気するものである。図６に示されるように排気ダンパ１１２ａ及び第二排気ダンパ１１８は閉じた状態で、ヒータ１０６に通電されている。循環ファン１０２及び排気ファン２０１は所定の回転数で回転し、給気ファン１０４は停止している。その結果、排気ファン２０１の駆動によって、他室導入口Ｉｂ，Ｉｃから１０５ｍ3／ｈの空気が吸い込まれ、排気流路２０３へと送り込まれる。排気流路２０３に送り込まれた空気は排気ファン２０１によって排気口Ｅａから屋外へと排出される。排気口Ｅａから屋外へと排出される空気は１０５ｍ3／ｈである。循環ファン１０２の駆動によって、循環吸込口１０７からは１５０ｍ3／ｈの空気が吸い込まれ、ヒータ１０６によって昇温された後に循環吹出口１０８から浴室内へと吹き出される。循環吹出口１０８から浴室内へ吹き出される空気は１５０ｍ3／ｈである。
【００４９】
続いて、常時換気運転モード（図４参照）から、衣類乾燥運転モード（図２参照）、暖房運転モード（図６参照）、涼風運転モードを実行し、その後熱交換器１０１を乾燥させるための素子乾燥運転モードを行う手順について、図７，図８，図９を参照しながら説明する。図７〜図９は、本発明の実施形態である浴室乾燥装置ＤＭの素子乾燥運転の動作を示すフローチャートであって、一連のフローを分割して示したものである。
【００５０】
図７のステップＳ０１では、所定の運転モードが選択されたか判断する。所定の運転モードが選択されていればステップＳ０２，ステップＳ１２，ステップＳ２０のいずれかの処理に進み、所定の運転モードが選択されていなければステップＳ０１の判断を繰り返す。衣類乾燥運転モードが選択されていればステップＳ０２の処理に進み、暖房運転モードが選択されていればステップＳ１２の処理に進み、涼風運転モードが選択されていればステップＳ２０の処理に進む。
【００５１】
衣類乾燥運転モードのステップＳ０２では、排気ダンパ１１２ａを開く。ステップＳ０２に続くステップＳ０３では、第二排気ダンパ１１８を閉じる。ステップＳ０３に続くステップＳ０４では、給気ファン１０４を駆動する。ステップＳ０４に続くステップＳ０５では、ヒータ１０６に通電すると共に、循環ファン１０２を駆動する。ステップＳ０５に続くステップＳ０６では、制御部ＣＵのタイマーカウントを開始する。ステップＳ０６に続くステップＳ０７では、浴室乾燥装置ＤＭへの給気温度である外気温を計測する。ステップＳ０７の処理が終了すると、ステップＳ０８の処理に進む。
【００５２】
ステップＳ０８では、運転モードの変更が行われるか否かを判断する。運転モードの変更が行われなければ、ステップＳ０９の処理に進み、運転モードの変更が行われるのであれば図８に示すステップＳ３０の処理に進む。
【００５３】
ステップＳ０９では、ステップＳ０６でカウントを開始したタイマーがタイムアップしたか判断する。タイムアップしていなければ、ステップＳ０７の処理に戻り、タイムアップしていればステップＳ１０の処理に進む。
【００５４】
ステップＳ１０では、ヒータ１０６への通電を停止すると共に、循環ファン１０２の駆動も停止する。ステップＳ１０に続くステップＳ１１では、給気ファン１０４の駆動を停止する。ステップＳ１１の処理が終了すると、図８に示すステップＳ３０の処理に進む。
【００５５】
暖房運転モードのステップＳ１２では、排気ダンパ１１２ａを閉じる。ステップＳ１２に続くステップＳ１３では、第二排気ダンパ１１８を閉じる。ステップＳ１３に続くステップＳ１４では、給気ファン１０４の駆動を停止する。ステップＳ１４に続くステップＳ１５では、ヒータ１０６に通電すると共に、循環ファン１０２を駆動する。ステップＳ１５に続くステップＳ１６では、制御部ＣＵのタイマーカウントを開始する。ステップＳ１６の処理が終了すると、ステップＳ１７の処理に進む。
【００５６】
ステップＳ１７では、運転モードの変更が行われるか否かを判断する。運転モードの変更が行われなければ、ステップＳ１８の処理に進み、運転モードの変更が行われるのであればステップＳ３０の処理に進む。
【００５７】
ステップＳ１８では、ステップＳ１６でカウントを開始したタイマーがタイムアップしたか判断する。タイムアップしていなければ、ステップＳ１７の処理に戻り、タイムアップしていればステップＳ１９の処理に進む。
【００５８】
ステップＳ１９では、ヒータ１０６への通電を停止すると共に、循環ファン１０２の駆動も停止する。ステップＳ１９の処理が終了すると、図８に示すステップＳ３０の処理に進む。
【００５９】
涼風運転モードのステップＳ２０では、排気ダンパ１１２ａを閉じる。ステップＳ２０に続くステップＳ２１では、第二排気ダンパ１１８を開く。ステップＳ２１に続くステップＳ２２では、給気ファン１０４の駆動を停止する。ステップＳ２２に続くステップＳ２３では、循環ファン１０２を駆動する。ステップＳ２３に続くステップＳ２４では、ヒータ１０６への通電を停止する。ステップＳ２４に続くステップＳ２５では、制御部ＣＵのタイマーカウントを開始する。ステップＳ２５の処理が終了すると、ステップＳ２６の処理に進む。
【００６０】
ステップＳ２６では、運転モードの変更が行われるか否かを判断する。運転モードの変更が行われなければ、ステップＳ２７の処理に進み、運転モードの変更が行われるのであればステップＳ３０の処理に進む。
【００６１】
ステップＳ２７では、ステップＳ２５でカウントを開始したタイマーがタイムアップしたか判断する。タイムアップしていなければステップＳ２６の処理に戻り、タイムアップしていればステップＳ２８の処理に進む。
【００６２】
ステップＳ２８では、ヒータ１０６への通電を停止すると共に、循環ファン１０２の駆動も停止する。ステップＳ２８の処理が終了すると、図８に示すステップＳ３０の処理に進む。
【００６３】
図８に示すステップＳ３０では、終了する運転モードがどの運転モードなのかを判定する。終了する運転モードが衣類乾燥運転モードの場合（図７のステップＳ１１から処理が続いてきた場合）には、ステップＳ３１の処理に進む。終了する運転モードが衣類乾燥運転モード以外の場合（図７のステップＳ１９又はステップＳ２８から処理が続いてきた場合）には、ステップＳ３３の処理に進む。
【００６４】
ステップＳ３１では、終了する運転モードの運転継続時間を判定する。終了する運転モードの運転継続時間が３０分以下であれば、ステップＳ３２をスキップしてステップＳ３３の処理に進む。終了する運転モードの運転継続時間が３０分を越えていれば、ステップＳ３２の処理に進む。
【００６５】
ステップＳ３２では、ステップＳ０７で計測した外気温に基づいて、浴室乾燥装置ＤＭへの給気温度を判定する。浴室乾燥装置ＤＭへの給気温度が２５℃以下であれば、ステップＳ４０の処理に進む。浴室乾燥装置ＤＭへの給気温度が２５℃を超えていれば、図９に示すステップＳ４０の処理に進む。
【００６６】
ステップＳ３３では、ステップＳ０６やステップＳ１６やステップＳ２５でカウントを開始したタイマーがタイムアップしたか判断する。タイムアップしていなければステップＳ１８又はステップＳ２７の処理に戻り、タイムアップしていればステップＳ３４の処理に進む。
【００６７】
ステップＳ３４では、排気ダンパ１１２ａを閉じる。ステップＳ３４に続くステップＳ３５では、第二排気ダンパ１１８を開く。ステップＳ３４及びステップＳ３５の処理を経て、常時換気運転モードの運転へと戻る（図４参照）。
【００６８】
図９は、浴室乾燥装置ＤＭの素子乾燥運転の主な手順を示すものである。図９に示すステップＳ４０では、更に次の運転モードとして選択されたモードがあるか否かと、選択されたモードがあれば、それが暖房運転モードなのか涼風運転モードなのかを判定する。次の運転モードとして選択されたモードがなければ、ステップＳ４１の処理に進む。暖房運転モードが選択されていれば、ステップＳ４６の処理に進む。涼風運転モードが選択されていれば、ステップＳ５７の処理に進む。
【００６９】
次の運転モードとして選択されたモードがなければ、常時換気運転モードに戻る。そのためステップＳ４１では、素子乾燥運転モードの乾燥タイマーが設定され、制御部ＣＵのタイマーカウントを開始する。この乾燥時間は、温度センサＳｔが検出する温度が第一温度（例えば２０℃）である場合の素子乾燥運転モードの実行時間である第一実行時間ｔｓよりも、温度センサＳｔが検出する温度が第一温度よりも低い第二温度（例えば、１５℃や５℃）である場合の素子乾燥運転モードの実行時間である第二実行時間が長くなるように、その第二実行時間を第一実行時間ｔｓの１．２倍（第二温度が１５℃の場合）や１．５倍（第二温度が５℃の場合）とするように設定される。
【００７０】
ステップＳ４１に続くステップＳ４２では、排気ファン２０１の回転数が変更される。この場合、衣類乾燥運転モード（浴室乾燥運転モード）の後に換気運転である常時換気運転モードが実行されるので、衣類乾燥運転モードの際の排気ファン２０１の回転数を上げて、浴室排気流路１１５，１１６ａ及び排気流路２０３を流れる空気の量が増えるように調整する。このように設定され運転されることで、熱交換器１０１を乾燥させるための素子乾燥運転が開始される（ステップＳ４３）。
【００７１】
ステップＳ４３に続くステップＳ４４では、更に運転モードが変更されたか否かを判断する。更に運転モードが変更されていればステップＳ７０の処理に進み、更に運転モードが変更されなければステップＳ４５の処理に進む。
【００７２】
ステップＳ４５では、ステップＳ４１でカウントを開始したタイマーがタイムアップしたか判断する。タイムアップしていなければステップＳ４３の処理に戻り、タイムアップしていればステップＳ３４の処理に戻る。
【００７３】
次の運転モードとして暖房運転モードが選択された場合のステップＳ４６では、排気ダンパ１１２ａを開く、ステップＳ４６に続くステップＳ４７では、第二排気ダンパ１１８を閉じる。ステップＳ４７に続くステップＳ４８では、ヒータ１０６に通電すると共に、循環ファン１０２を駆動する。ステップＳ４８に続くステップＳ４９では、素子乾燥運転モードの乾燥タイマーが設定され、制御部ＣＵのタイマーカウントを開始する。
【００７４】
ステップＳ４９に続くステップＳ５０では、排気ファン２０１の回転数が変更される。この場合、衣類乾燥運転モード（浴室乾燥運転モード）の後に暖房運転モードが実行されるので、衣類乾燥運転モードの際の排気ファン２０１の回転数を下げて、浴室排気流路１１５，１１６ａ及び排気流路２０３を流れる空気の量が減るように調整する。このように設定され運転されることで、熱交換器１０１を乾燥させるための素子乾燥運転が開始される（ステップＳ５１）。
【００７５】
ステップＳ５１に続くステップＳ５２では、更に運転モードが変更されたか否かを判断する。更に運転モードが変更されていればステップＳ７０の処理に進み、更に運転モードが変更されなければステップＳ５３の処理に進む。
【００７６】
ステップＳ５３では、ステップＳ４９でカウントを開始したタイマーがタイムアップしたか判断する。タイムアップしていなければステップＳ５１の処理に戻り、タイムアップしていればステップＳ５４の処理に進む。
【００７７】
ステップＳ５４では、排気ファン２０１の回転数が変更される。具体的には、ステップＳ５０で変更された排気ファン２０１の回転数を、通常の暖房運転モードの回転数に戻す。ステップＳ５４に続くステップＳ５５では、排気ダンパ１１２ａを閉じる。ステップＳ５５の処理が終了するとステップＳ１７の処理に進む。
【００７８】
次の運転モードとして涼風運転モードが選択された場合のステップＳ５７では、排気ダンパ１１２ａを開く、ステップＳ５７に続くステップＳ５８では、第二排気ダンパ１１８を閉じる。ステップＳ５８に続くステップＳ５９では、循環ファン１０２を駆動する。ステップＳ５９に続くステップＳ６０では、ヒータ１０６への通電を停止する。ステップＳ６０に続くステップＳ６１では、素子乾燥運転モードの乾燥タイマーが設定され、制御部ＣＵのタイマーカウントを開始する。
【００７９】
ステップＳ６１に続くステップＳ６２では、排気ファン２０１の回転数が変更される。この場合、衣類乾燥運転モード（浴室乾燥運転モード）の後に涼風運転モードが実行されるので、衣類乾燥運転モードの際の排気ファン２０１の回転数を上げて、浴室排気流路１１５，１１６ａ及び排気流路２０３を流れる空気の量が増えるように調整する。このように設定され運転されることで、熱交換器１０１を乾燥させるための素子乾燥運転が開始される（ステップＳ６３）。
【００８０】
ステップＳ６３に続くステップＳ６４では、更に運転モードが変更されたか否かを判断する。更に運転モードが変更されていればステップＳ７０の処理に進み、更に運転モードが変更されなければステップＳ６５の処理に進む。
【００８１】
ステップＳ６５では、ステップＳ６１でカウントを開始したタイマーがタイムアップしたか判断する。タイムアップしていなければステップＳ６３の処理に戻り、タイムアップしていればステップＳ６６の処理に進む。
【００８２】
ステップＳ６６では、排気ファン２０１の回転数が変更される。具体的には、ステップＳ６２で変更された排気ファン２０１の回転数を、通常の暖房運転モードの回転数に戻す。ステップＳ６６に続くステップＳ６７では、第二排気ダンパ１１８を開く。ステップＳ６７に続くステップＳ６８では、排気ダンパ１１２ａを閉じる。ステップＳ６８の処理が終了するとステップＳ２６の処理に戻る。
【００８３】
ステップＳ７０では、更に変更された運転モードが、衣類乾燥運転モードか判断する。更に変更された運転モードが衣類乾燥モードであれば、ステップＳ０２の処理に戻る。更に変更された運転モードが衣類乾燥モードでなければ、ステップＳ４０の処理に戻る。
【符号の説明】
【００８４】
ＤＭ：浴室乾燥装置
ＣＵ：制御部（制御手段）
Ｉａ：給気導入口
Ｉｂ：他室導入口
Ｉｃ：他室導入口
Ｅａ：排気口
１０：循環ユニット
２０：排気ユニット
１０１：熱交換器（熱交換素子）
１０２：循環ファン
１０４：給気ファン（給気通風手段）
１０６：ヒータ
１０７：循環吸込口
１０８：循環吹出口
１０９：排気吸込口
１１０：排気連絡口
１１１：給気吹出口
１１２ａ：排気ダンパ
１１３ａ：浴室給気流路
１１４：浴室給気流路
１１５：浴室排気流路
１１６ａ：浴室排気流路
１１６ｂ：第二浴室排気流路
１１７：浴室循環流路
１１８：第二排気ダンパ
１１９：第二排気吸込口
２０１：排気ファン（排気通風手段）
２０３：排気流路
【図１】
0005569066.tif 000002
【図２】
0005569066.tif 000003
【図３】
0005569066.tif 000004
【図４】
0005569066.tif 000005
【図５】
0005569066.tif 000006
【図６】
0005569066.tif 000007
【図７】
0005569066.tif 000008
【図８】
0005569066.tif 000009
【図９】
0005569066.tif 000010